(57)【要約】【課題】優れた視認性を有する多重折りシートを提供する。【解決手段】第１の山折り用折り目Ｐ１１〜Ｐ１４と、第１の谷折り用折り目Ｖ１１〜Ｖ１３とは、互いに間隔を隔てて平行に付される。第２の山折り用折り目Ｐ２１と、第２の谷折り用折り目Ｖ２１とは、第１の山折り用折り目Ｐ１１〜Ｐ１４と、第１の谷折り用折り目Ｖ１１〜Ｖ１３との間にある。起伏紙片２は、貼付面２１と、起立面２２とを含む。貼付面２１は、第１の貼付部２１１と、第２の貼付部２１２とを有する。第１及び第２の貼付部２１１、２１２は、第１の谷折り用折り目Ｖ１１〜Ｖ１３を挟んで、両側それぞれに固着される。起立面２２は、少なくとも１つの折り目２２１を含む。折り目２２１は、第１及び第２の貼付部２１１、２１２の境界２１３に沿って設けられている。【選択図】　　　図１
2004038032.tif 000002
【特許請求の範囲】
【請求項１】
シート部と、起伏紙片とを有する多重折りシートであって、
前記シート部は、第１の山折り用折り目と、第１の谷折り用折り目と、第２の山折り用折り目と、第２の谷折り用折り目とを有し、
前記第１の山折り用折り目と、前記第１の谷折り用折り目とは、互いに間隔を隔てて平行に付され、
前記第２の山折り用折り目と、前記第２の谷折り用折り目とは、前記第１の山折り用折り目と、前記第１の谷折り用折り目との間に付され、
前記起伏紙片は、貼付面と、起立面とを含み、
前記貼付面は、第１の貼付部と、第２の貼付部とを有し、
前記第１の貼付部、及び、前記第２の貼付部は、前記第１の谷折り用折り目を挟んで、その両側のそれぞれに固着され、
前記起立面は、少なくとも１つの折り目を含み、前記少なくとも１つの折り目は、前記第１の貼付部と、前記第２の貼付部との境界に沿って設けられている
多重折りシート。
【請求項２】
請求項１に記載された多重折りシートであって、
前記第２の山折り用折り目は、前記第１の谷折り用折り目と不連続であり、
前記第２の谷折り用折り目は、前記第１の山折り用折り目と不連続である
多重折りシート。
【発明の詳細な説明】
【０００１】
【発明の属する技術分野】
本発明は、多重折りシートに関する。
【０００２】
【従来の技術】
多重折りシートは、省スペース化に優れた多重折り構造を有することにより、容易に携帯することができるから、道路地図から観光ガイド地図等にまで広く利用されている。
【０００３】
そして、多重折りシートを地図として用いた場合、広範な地理的範囲について、同一紙面上に一括して記載することができるから、通常の冊子構造の地図と比べ、目的地や道順の検索等、記載内容の理解を容易になしうる。
【０００４】
しかし、多重折りシートを地図に用いた場合、未だ以下の問題点がある。
【０００５】
まず、多重折りシートが道路地図や路線地図等に用いられた場合は、記載内容の全体的な整合性、及び、正確性が求められる性質上、紙面全体が同一縮尺で記載され、一般に文字表示や記号表示が細かくなる。地図利用者にとって、上述したように見開き面積の広い地図において、細かい記載内容を速やかに読解し、且、理解することは困難である。
【０００６】
また、多重折りシートが観光ガイド地図や名所案内地図等に用いられた場合は、観光施設、名所及び交通機関等に関する記載事項を、紙面上で部分的に強調する必要がある。従来の地図には、これら詳細に記載すべき重要な記載事項と、その他の付随的記載事項との視覚的差別化を図る手段が存在しなかった。
【０００７】
さらに、観光ガイド地図や名所案内地図等に用いられた場合は、集客力を促進する等の目的達成手段として、紙面上に娯楽的要素を加えることが重要となる。従来の地図において、そのような娯楽的要素を備える手段は知られていない。
【０００８】
【発明が解決しようとする課題】
本発明の課題は、優れた視認性を有する多重折りシートを提供することである。
【０００９】
本発明のもう一つの課題は、記載内容の理解を速やかに行うことができる多重折りシートを提供することである。
【００１０】
本発明の更にもう一つの課題は、付加的玩具効果を有する多重折りシートを提供することである。
【００１１】
【課題を解決するための手段】
上述した課題を解決するため、本発明に係る多重折りシートは、シート部と、起伏紙片とを有する。前記シート部は、第１の山折り用折り目と、第１の谷折り用折り目と、第２の山折り用折り目と、第２の谷折り用折り目とを有する。前記第１の山折り用折り目と、前記第１の谷折り用折り目とは、互いに間隔を隔てて平行に付される。前記第２の山折り用折り目と、前記第２の谷折り用折り目とは、前記第１の山折り用折り目と、前記第１の谷折り用折り目との間に付される。
【００１２】
前記起伏紙片は、貼付面と、起立面とを含む。前記貼付面は、第１の貼付部と、第２の貼付部とを有する。前記第１の貼付部、及び、前記第２の貼付部は、前記第１の谷折り用折り目を挟んで、その両側のそれぞれに固着される。前記起立面は、少なくとも１つの折り目を含み、前記少なくとも１つの折り目は、前記第１の貼付部と、前記第２の貼付部との境界に沿って設けられている。
【００１３】
上述したようにシート部は、第１の山折り用折り目と、第１の谷折り用折り目と、第２の山折り用折り目と、第２の谷折り用折り目とを有する。第１の山折り用折り目と、第１の谷折り用折り目とは、互いに間隔を隔てて平行に付される。第２の山折り用折り目と、第２の谷折り用折り目とは、第１の山折り用折り目と、第１の谷折り用折り目との間に付される。
【００１４】
上述した折り目構造によれば、第１の山折り用折り目、及び、第１の谷折り用折り目に沿ってシートを折り畳み、更に、その折り畳み方向と直交する方向において、第２の山折り用折り目、及び、第２の谷折り用折り目に沿って折り畳むことができる。
【００１５】
起伏紙片は、貼付面と、起立面とを含む。従って、起立面に色彩や、模様若しくは文字等の記載面積を確保し、且、貼付面には、接着剤を塗布する等の固着用面積を確保することができる。
【００１６】
また、起立面は、貼付面とは異なる外郭形状に適宜成形することが可能である。従って、起立面に、地図の性質を勘案して娯楽的要素を加えることができる。
【００１７】
貼付面は、第１の貼付部と、第２の貼付部とを有する。第１の貼付部、及び、第２の貼付部は、第１の谷折り用折り目を挟んで、その両側のそれぞれに固着される。起立面は、少なくとも１つの折り目を含む。少なくとも１つの折り目は、第１の貼付部と、第２の貼付部との境界に沿って設けられている。
【００１８】
上述した構造によると、起伏紙片は、隣接する第１の山折り用折り目を折り畳むと、起立面の折り目が折り曲げられ、シート部表面に倒れこんで接触する。そして、隣接する第１の山折り用折り目を更に折り畳んだ場合、起立面の折り目は、接触する第１の谷折用折り目とともに折れ曲がる。その結果、起伏紙片は、隣接する第１の山折り用折り目の相互間に折り畳まれて収納される。他方、隣接する第１の山折り用折り目を広げると、起伏紙片は、起立面の折り目に沿って広げられ、シート部表面から持ち上がり、シート部上に立体的に立ち上がる。
【００１９】
従って、折り畳み構造が有する省スペース化の利点を損なわずに、優れた視認性を有する多重折りシートを提供することができる。
【００２０】
また、多重折りシートは、起伏紙片がシート部上に立体的に立ち上がるから、道路地図や路線地図等のように記載内容が細かい場合であっても、地図利用者は記載内容を速やかに読解し、且、理解することができる。
【００２１】
多重折りシートが観光ガイド地図や名所案内地図等に用いられた場合には、シート部とは別個の起伏紙片により、重要な記載事項と、その他の付随的記載事項との視覚的差別化を図ることができる。
【００２２】
さらに、起伏紙片を適宜配置することにより、所謂飛び出す絵本のような付加的玩具効果を加えることができる。
【００２３】
本発明に係る多重折りシートにおいて、前記第２の山折り用折り目は、前記第１の谷折り用折り目と不連続であり、前記第２の谷折り用折り目は、前記第１の山折り用折り目と不連続である折り目構造を有することができる。
【００２４】
この折り目構造によれば、第２の山折り用折り目と、第１の谷折り用折り目との間における折り目付け破損を、両者間の不連続部分によって回避し得る。
【００２５】
同様に、第２の谷折り用折り目は、少なくとも第１の山折り用折り目とは不連続であれば、第２の谷折り用折り目と、第１の山折り用折り目との間における折り目付け破損を、両者間の不連続部分によって回避し得る。
【００２６】
上述した本発明の他の目的、構成及び利点については、添付図面を参照し、更に詳しく説明する。添付図面は、単に、例示に過ぎない。
【００２７】
【発明の実施の形態】
図１は本発明に係る多重折りシートを展開した平面図、図２は図１に示した多重折りシートの一部拡大斜視図である。図示する多重折りシートは、シート部１と、起伏紙片２とを有する。
【００２８】
シート部１は、第１の山折り用折り目Ｐ１１〜Ｐ１４と、第１の谷折り用折り目Ｖ１１〜Ｖ１３と、第２の山折り用折り目Ｐ２１と、第２の谷折り用折り目Ｖ２１とを有する。
【００２９】
第１の山折り用折り目Ｐ１１〜Ｐ１４と、第１の谷折り用折り目Ｖ１１〜Ｖ１３と、第２の山折り用折り目Ｐ２１と、第２の谷折り用折り目Ｖ２１とは、機械的な手段によって付された凹部、凸部、またはそれらの組み合わせ等でなる。筆記具等の手段によって描かれたものではない。
【００３０】
より具体的には、第１の山折り用折り目Ｐ１１〜Ｐ１４と、第１の谷折り用折り目Ｖ１１〜Ｖ１３と、第２の山折り用折り目Ｐ２１と、第２の谷折り用折り目Ｖ２１とは、シート部１の表面及び裏面に付された加工痕である。即ち、シート部１の一方表面に付された第１の山折り用折り目Ｐ１１〜Ｐ１４は、他方裏面において第１の谷折り用折り目Ｖ１１〜Ｖ１３となり、同様に、一方表面に付された第２の山折り用折り目Ｐ２１は、他方裏面において第２の谷折り用折り目Ｖ２１となる。
【００３１】
第１の山折り用折り目Ｐ１１〜Ｐ１４と、第１の谷折り用折り目Ｖ１１〜Ｖ１３は、互いに間隔を隔てて平行に付される。第２の山折り用折り目Ｐ２１と、第２の谷折り用折り目Ｖ２１は、第１の山折り用折り目Ｐ１１〜Ｐ１４と、第１の谷折り用折り目Ｖ１１〜Ｖ１３との間に付される。
【００３２】
上述した折り目構造によれば、第１の山折り用折り目Ｐ１１〜Ｐ１４、及び、第１の谷折り用折り目Ｖ１１〜Ｖ１３に沿ってシート部１を折り畳み、更に、その折り畳み方向と直交する方向において、第２の山折り用折り目Ｐ２１、及び、第２の谷折り用折り目Ｖ２１に沿って折り畳むことができる。具体的な折り畳み操作は後述する（図６〜図８参照）。
【００３３】
起伏紙片２は、貼付面２１と、起立面２２とを含む。貼付面２１は、第１の貼付部２１１と、第２の貼付部２１２とを含む。図示する第１の貼付部２１１と、第２の貼付部２１２とは、貼付面２１を一部切断して形成されている。
【００３４】
第１の貼付部２１１、及び、第２の貼付部２１２は、第１の谷折り用折り目Ｖ１１〜Ｖ１３を挟んで、その両側のそれぞれに固着される。固着手段としては、接着剤や両面テープ等周知の手段を用いることができる。
【００３５】
起立面２２は、折り目２２１を含む。折り目２２１は、第１の貼付部２１１と、第２の貼付部２１２との境界に沿って設けられている。図２は、好ましい例として、折り目２２１と、第１及び第２の貼付部２１１及び２１２の境界とが、第１の谷折用折り目Ｖ１２に交わるように配置されている。
【００３６】
起伏紙片２は、貼付面２１によりシート部１上に確実に固着され、且、固着し続けられるとともに、起立面２２に色彩や、模様および文字等を記載することができる。そして、図示する多重折りシートは、起立面２２がシート部１上に立体的に立ち上がっているから、優れた視認性を有する。
【００３７】
起伏紙片２の設置数及び設置箇所は設計的事項に属し、図示するところに限定されない。起伏紙片２の設置数及び設置箇所は、本発明に係る多重折りシートの使途、性質及び個々の具体的必要性等を勘案して決定される。また、起伏紙片２の外郭形状は図示するところに限定されず、自由に設定することができる。従って、多重折りシートに娯楽的要素を加えることもできる。
【００３８】
例えば、図示する多重折りシートが動物園のガイド地図として用いられる場合、起伏紙片２を各種動物の外郭形状に成形して適宜配置することで、動物園内の動物の所在を探し易くなると同時に、見た目にも娯楽性の高い地図を提供することができる。
【００３９】
図３は起伏紙片について別の実施例の構造を説明する図、図４は図３に示した起伏紙片を折り目に沿って組立てた図である。図示において、図１及び図２に図示した構成部分と同一の構成部分には、同一の参照符号を付し、重複説明を省略する。
【００４０】
図３及び図４に示す起伏紙片２は、図１及び図２に示す起伏紙片２とは異なり、第１の貼付部２１１と、第２の貼付部２１２とは、境界線２１３により区分され、貼付面２１を切断せず、折り畳み構造により形成される。
【００４１】
但し、第１の貼付部２１１と、第２の貼付部２１２とを区分する構造は、起伏紙片２がシート部１に収納され、且、シート部１から立ち上がることができる構造であれば、図１及び図２に示す切断構造や、図３及び図４に示す折り曲げ構造に限定されない。一部に切断線が設けられ、且、折り畳まれる複合構造であってもよいし、また、切断構造を複雑にして貼付部を複数設けてもよい。
【００４２】
図５は、多重折りシートのシート部の折り目構造を説明する平面図である。シート部１の構造を説明することは、多重折りシートの構造を明確に説明することに資する。図示するシート部１には、第１の山折り用折り目Ｐ１１〜Ｐ１４、及び、第１の谷折り用折り目Ｖ１１〜Ｖ１３が、交互に形成されている。
【００４３】
第１の山折り用折り目Ｐ１１〜Ｐ１４、及び、第１の谷折り用折り目Ｖ１１〜Ｖ１３のそれぞれは、その長さ方向Ｌ０３に直交する方向に延びるジグザグパターンになっている。
【００４４】
より具体的には、第１の山折り用折り目Ｐ１１〜Ｐ１４、及び、第１の谷折り用折り目Ｖ１１〜Ｖ１３は、長さ方向Ｌ０３を基準にして、１秒以上１５度以下の角度α０１、α０２で、ジグザグに連なる第１のセクションＳ３１〜第５のセクションＳ３５によって構成されている。
【００４５】
角度α０１、α０２は、主として、シート部１の厚みや、素材に応じて設定される。シート部１は、天然植物繊維、天然動物繊維、化学繊維またはそれらの組み合わせ等によってなる。更に、折り返し数、折り返し間隔等を考慮するとよい。
【００４６】
図示するシート部１は、第２の山折り用折り目Ｐ２１と、第２の谷折り用折り目Ｖ２１とを有している。第２の山折り用折り目Ｐ２１と、第２の谷折り用折り目Ｖ２１とは、第１の山折り用折り目Ｐ１１〜Ｐ１４と、第１の谷折り用折り目Ｖ１１〜Ｖ１３との間に付されている。
【００４７】
第２の山折り用折り目Ｐ２１は、好ましくは、第１の山折り用折り目Ｐ１１〜Ｐ１４に連続し、第１の谷折り用折り目Ｖ１１〜Ｖ１３とは不連続である。第２の谷折り用折り目Ｖ２１は、好ましくは、第１の谷折り用折り目Ｖ１１〜Ｖ１３に連続し、第１の山折り用折り目Ｐ１１〜Ｐ１４とは不連続である。
【００４８】
具体的には、第２の山折り用折り目Ｐ２１は、ジグザグパターンを構成する各セクションＳ３１〜Ｓ３５の境界において、第１の山折り用折り目Ｐ１１〜Ｐ１４に連続し、第１の谷折り用折り目Ｖ１１〜Ｖ１３とは、間隔△Ｇ１を隔てている。
【００４９】
第２の谷折り用折り目Ｖ２１は、ジグザグパターンを構成する各セクションＳ３１〜Ｓ３５の境界において、第１の谷折り用折り目Ｖ１１〜Ｖ１３と連続し、第１の山折り用折り目Ｐ１１〜Ｐ１４とは、間隔△Ｇ２を隔てている。
【００５０】
更に、図６乃至図８を参照して、図５に示したシート部の折り畳み操作を説明する。図６は図５に示したシート部の折り畳み操作を示す図、図７は図６に示す操作の側面図、図８は図７に続く操作を示す図である。
【００５１】
まず、図６及び図７に示すように、第１の山折り用折り目Ｐ１１〜Ｐ１４、及び、第１の谷折り用折り目Ｖ１１〜Ｖ１３の配置方向の両側から、矢印Ｆ２１、Ｆ２２で示す方向に押圧力を加え、第１の山折り用折り目Ｐ１１〜Ｐ１４、及び、第１の谷折り用折り目Ｖ１１〜Ｖ１３の部分で、シート部１を交互に折り曲げる。
【００５２】
シート部１の表面及び裏面には、第１の山折り用折り目Ｐ１１〜Ｐ１４、及び、第１の谷折り用折り目Ｖ１１〜Ｖ１３が付されていることにより、シート部１を折り曲げる操作が極めて容易になる。
【００５３】
次に、図８に示すように、第１の山折り用折り目Ｐ１１〜Ｐ１４、及び、第１の谷折り用折り目Ｖ１１〜Ｖ１３の長さ方向Ｌ０３に直交する矢印Ｆ３１、Ｆ３２で示す方向に押圧力を加える。
【００５４】
シート部１の表面及び裏面には、第２の山折り用折り目Ｐ２１と、第２の谷折り用折り目Ｖ２１とが付されていることにより、第２の山折り用折り目Ｐ２１と、第２の谷折り用折り目Ｖ２１の部分で折り曲げ操作、及び、折り畳み操作が極めて容易になる。これにより、シート部１は、第１の山折り用折り目Ｐ１１〜Ｐ１４、及び、第１の谷折り用折り目Ｖ１１〜Ｖ１３の長さ方向Ｌ０３と直交する方向に折り曲げられ、且、折り畳まれる。
【００５５】
第１の山折り用折り目Ｐ１１〜Ｐ１４、及び、第１の谷折り用折り目Ｖ１１〜Ｖ１３は、その長さ方向Ｌ０３に沿い、ジグザグパターンとなっているので、折り畳んだ場合に重なるシート部１の厚みを、ジグザグの角度α０１、α０２（図５参照）によって吸収し、確実に折り畳まれる。
【００５６】
しかも、好ましくは、第２の山折り用折り目Ｐ２１は、第１の山折り用折り目Ｐ１１〜Ｐ１４に連続し、第１の谷折り用折り目Ｖ１１〜Ｖ１３とは不連続であり、第２の谷折り用折り目Ｖ２１は、第１の谷折り用折り目Ｖ１１〜Ｖ１３に連続し、第１の山折り用折り目Ｐ１１〜Ｐ１４とは不連続であるから、各セクションＳ３１〜Ｓ３５の境界において、シート部１が破損するのを回避することができる。
【００５７】
次に、図９乃至図１１を参照して、本発明に係る多重折りシートの引き伸ばし操作を説明する。図９は多重折りシートの引き伸ばし操作を示す図、図１０は図１１に続く操作を示す図、図１１は図１２に続く操作を示す図である。
【００５８】
まず、図９では、第１の貼付部２１１、及び、第２の貼付部２１２は、第１の谷折り用折り目Ｖ１２を挟んで、シート部１上のその両側のそれぞれに固着されている。折り目２２１と、第１及び第２の貼付部２１１及び２１２の境界とは、第１の谷折用折り目Ｖ１２に交わるように配置される。
【００５９】
そして、第１の山折り用折り目Ｐ１２を矢印Ｆ３３で示す方向に移動し、且、第１の山折り用折り目Ｐ１３を矢印Ｆ３４で示す方向に移動することで、第１の山折り用折り目Ｐ１２と、第１の山折り用折り目Ｐ１３との間の距離が広がり、第１の谷折り用折り目Ｖ１２を挟んで、その両側のそれぞれに固着される第１及び第２の貼付部２１１及び２１２も、それぞれ矢印Ｆ３３及び矢印Ｆ３４で示す方向に移動する。
【００６０】
第１及び第２の貼付部２１１及び２１２が、それぞれ矢印Ｆ３３及び矢印Ｆ３４で示す方向に移動すると、起立面２２はシート部１上に固着されていないから、折り目２２１が広げられるに従って、起立面２２の上端部が矢印Ｍ４１方向に起き上がり始める。
【００６１】
次に、図１０に示すように、更に、第１の山折り用折り目Ｐ１２を矢印Ｆ３３で示す方向に移動し、且、第１の山折り用折り目Ｐ１３を矢印Ｆ３４で示す方向に移動することで、第１の山折り用折り目Ｐ１２と、第１の山折り用折り目Ｐ１３との間の距離も更に広がり、起伏紙片２の第１及び第２の貼付部２１１及び２１２も、それぞれ矢印Ｆ３３及び矢印Ｆ３４で示す方向に更に移動する。
【００６２】
第１及び第２の貼付部２１１及び２１２が、それぞれ矢印Ｆ３３及び矢印Ｆ３４で示す方向に更に移動すると、折り目２２１の広がりに従って、起立面２２の上端部が矢印Ｍ４１方向へ更に起き上がる。
【００６３】
次に、図１１に示すように、隣接する第１の山折り用折り目Ｐ１２、Ｐ１３を完全に広げると、起伏紙片２は、シート部１上に立体的に立ち上がり、色彩や、模様及び文字等を記載した起立面２２が前面に起立する。
【００６４】
図９から図１１に示した多重折りシートの引き伸ばし操作は、逆の操作順序によれば折り畳むことができる。即ち、図６乃至図８に示したシート部の折り畳み操作は、第１の谷折り用折り目Ｖ１１〜１３に起伏紙片２を有する構成であっても実行可能であって、具体的には図１１から図９にさかのぼる操作により折り畳むことができる。
【００６５】
簡単に説明すると、起伏紙片２は、隣接する第１の山折り用折り目Ｐ１２、Ｐ１３を折り畳むと、起立面２２の折り目２２１が折り曲げられ、シート部１表面に倒れこんで接触する。そして、隣接する第１の山折り用折り目Ｐ１２、Ｐ１３を更に折り畳んだ場合、折り目２２１は、接触する第１の谷折用折り目Ｖ１２とともに折れ曲がり、起伏紙片２は、隣接する第１の山折り用折り目Ｐ１２、Ｐ１３の相互間に折り畳まれて収納される。
【００６６】
上述した折り畳み操作、及び、引き伸ばし操作が実行可能な多重折りシートの構造によると、省スペース化の利点を損なわずに優れた視認性を有する多重折りシートを提供することができる。
【００６７】
また、起伏紙片２は、シート部１上における設置数及び設置箇所を任意に設定することができるから、地図として用いられた場合、目的地や道程の検索等、記載内容の理解が容易な、多重折りシートを提供することができる。
【００６８】
起伏紙片２がシート部１上に立体的に立ち上がるから、必要な情報の検索が容易であり、シートを不必要な部分まで広げる必要がなくなるから、取り扱いが便利になる。特に、繁華街等の周囲に人が多い状況で、周囲の人々への迷惑に配慮を強いられることなく地図を気軽に使用することができる。
【００６９】
また、起伏紙片２がシート部１上に立体的に立ち上がるから、多重折りシートが道路地図や路線地図等に用いられ、地図上の記載内容が細かい場合であっても、地図利用者は、記載内容を速やかに読解し、且、理解することができる。
【００７０】
多重折りシートが観光ガイド地図や名所案内地図等に用いられた場合、地図には、シート部１とは別個の起伏紙片２により、観光施設や名所、交通機関等に関する説明を、紙面上で部分的に強調することができる。従って、重要な記載事項と、その他の付随的記載事項との視覚的差別化を図ることができる。
【００７１】
さらに、地図製作者は、シート部１とは別個の起伏紙片２により、多重折りシーにも、所謂飛び出す絵本のような付加的玩具効果を加えることができる。
【００７２】
以上、好ましい実施例を参照して本発明の内容を具体的に説明したが、本発明の基本的技術思想及び教示に基づいて、当業者であれば、種種の変形態様を採り得ることは自明である。
【００７３】
【発明の効果】
以上述べたように、本発明によれば、次のような効果を得ることができる。
（ａ）優れた視認性を有する多重折りシートを提供することができる。
（ｂ）記載内容の理解を速やかに行うことができる多重折りシートを提供することができる。
（ｃ）付加的玩具効果を有する多重折りシートを提供することができる。
【図面の簡単な説明】
【図１】本発明に係る多重折りシートを展開した平面図である。
【図２】図１に示した多重折りシートの一部拡大斜視図である。
【図３】起伏紙片について別の実施例の構造を説明する図である。
【図４】図３に示した起伏紙片を組み立てた図である。
【図５】本発明に係る多重折りシートのシート部の平面図である。
【図６】図５に示すシート部の折り畳み操作を示す図である。
【図７】図６に示す操作の側面図である。
【図８】図７に続く操作を示す図である。
【図９】本発明に係る多重折りシートの引き伸ばし操作を示す図である。
【図１０】図９に続く操作を示す図である。
【図１１】図１０に続く操作を示す図である。
【符号の説明】
１　　　　　　　　　　　シート部
Ｐ１１〜Ｐ１４　　　　　第１の山折り用折り目
Ｖ１１〜Ｖ１３　　　　　第１の谷折り用折り目
Ｐ２１　　　　　　　　　第２の山折り用折り目
Ｖ２１　　　　　　　　　第２の谷折り用折り目
２　　　　　　　　　　　起伏紙片
【図１】
2004038032.tif 000003
【図２】
2004038032.tif 000004
【図３】
2004038032.tif 000005
【図４】
2004038032.tif 000006
【図５】
2004038032.tif 000007
【図６】
2004038032.tif 000008
【図７】
2004038032.tif 000009
【図８】
2004038032.tif 000010
【図９】
2004038032.tif 000011
【図１０】
2004038032.tif 000012
【図１１】
2004038032.tif 000013